(57)【要約】流体収納容器のための閉鎖体はベースおよび一体型蓋を具える。ベースは側壁およびこの側壁の上端面に形成された肩部を有する。注ぎ口が肩部から上方に延在すると共に注ぎ口の上端面に形成された開口を有する。一体型蓋はリング部およびカバー部を有する。ちょうつがい部はカバー部をリング部に結合すると共にカバー部が閉位置から開位置まで移動することを可能にする。このちょうつがい部は閉位置にあるカバー部と共に完全にリング部の外縁内に配される。カバー部は閉位置にある注ぎ口の上端面の開口を覆ってベースと一体型蓋との間の流体密封シールを形成する。
2013527823.tif 000002
【特許請求の範囲】
【請求項１】
側壁と、この側壁の上端面に形成された肩部と、この肩部から上方に延在する注ぎ口とを有し、この注ぎ口がその上端面に形成された開口を有するベースと、
リング部と、ちょうつがい部と、カバー部とを有し、前記ちょうつがい部が前記カバー部を前記リング部に結合して前記カバー部が閉位置から開位置まで移動することを可能にし、前記ちょうつがい部は前記閉位置にある前記カバー部と共に完全に前記リング部の外縁内に配され、前記リング部が前記ベースに結合される一体型蓋と
を具え、前記カバー部は前記閉位置にある前記注ぎ口の上端面の前記開口を覆って前記ベースと前記一体型蓋との間に流体密封シールを形成することを特徴とする流体収納容器のための閉鎖体。
【請求項２】
前記カバー部は、前記閉位置にある前記カバー部と共に前記注ぎ口の上端面の開口内に配されるようになっているプラグシールをさらに具えたことを特徴とする請求項１に記載の流体収納容器のための閉鎖体。
【請求項３】
前記カバー部が開口タブをさらに具えたことを特徴とする請求項１に記載の流体収納容器のための閉鎖体。
【請求項４】
前記ベースが前記肩部に形成された固定溝をさらに具えたことを特徴とする請求項１に記載の流体収納容器のための閉鎖体。
【請求項５】
前記リング部は結合部をさらに具え、この結合部は前記固定溝と相互に作用して前記カバーを前記ベースに結合するようになっていることを特徴とする請求項４に記載の流体収納容器のための閉鎖体。
【請求項６】
前記ちょうつがい部がリング部領域とカバー部領域とを具えたことを特徴とする請求項１に記載の流体収納容器のための閉鎖体。
【請求項７】
前記ちょうつがい部は前記リング部領域と前記カバー部領域との間に配された少なくとも１つのウェブ部を付加的に具えたことを特徴とする請求項６に記載の流体収納容器のための閉鎖体。
【請求項８】
前記カバー部と前記リング部との間に概ね水平な向きに配された複数の不正開封防止機能をさらに具え、これら複数の不正開封防止機能が概ね直線状であることを特徴とする請求項１に記載の流体収納容器のための閉鎖体。
【請求項９】
前記カバー部と前記リング部との間に概ね水平な向きに配された複数の不正開封防止機能をさらに具え、これら複数の不正開封防止機能が概ね非直線形状であることを特徴とする請求項１に記載の流体収納容器のための閉鎖体。
【請求項１０】
前記複数の不正開封防止機能は、非直線形状の中間点近傍でより少ない材料を含むことを特徴とする請求項９に記載の流体収納容器のための閉鎖体。
【請求項１１】
外縁および内縁を有する概ね水平な肩部と、
この肩部の外縁から第１の方向に延在する第１の概ね垂直な側壁と、
前記肩部の内縁から第２の方向に延在して概ね水平なリムで終わり、この概ね水平なリムがそこに形成された開口を有する第２の概ね垂直な側壁と、
前記肩部から延在し、前記第１の概ね垂直な側壁と前記第２の概ね垂直な側壁との間に径方向に配された固定溝と
を具えるベース部と、
このベース部の前記固定溝に対応した形状を持つ周縁を有し、前記固定溝内に少なくとも一部が配される結合リングと、
この結合リングに対してちょうつがい結合を有すると共に閉位置と開位置との間を移動可能であり、前記ベース部の水平なリムの前記開口を覆って配されるカバー部であって、このカバー部が閉位置にある場合に前記ちょうつがい結合が前記結合リングの周縁内に配されるカバー部と
を具える蓋部と
を具え、前記結合リングと、前記カバー部と、前記少なくとも１つの不正開封防止機能とが単一の部品であることを特徴とする流体収納容器のための閉鎖体。
【請求項１２】
前記結合リングが前記固定溝に対して摩擦嵌合を形成することを特徴とする請求項１１に記載の流体収納容器のための閉鎖体。
【請求項１３】
前記結合リングと前記カバー部との間を結合する少なくとも１つの不正開封防止機能をさらに具え、この少なくとも１つの不正開封防止機能は概ね水平な向きを有し、カバー部が前記閉位置から前記開位置に動かされると、前記少なくとも１つの不正開封防止機能が変形することを特徴とする請求項１１に記載の流体収納容器のための閉鎖体。
【請求項１４】
前記少なくとも１つの不正開封防止機能が概ね非直線形状であることを特徴とする請求項１４に記載の流体収納容器のための閉鎖体。
【請求項１５】
前記ちょうつがい結合が結合リング部領域およびカバー部領域を具えたことを特徴とする請求項１１に記載の流体収納容器のための閉鎖体。
【請求項１６】
前記ちょうつがい結合は、前記結合リング部領域と前記カバー部領域との間に配される少なくとも１つのウェブ部を付加的に具えたことを特徴とする請求項１５に記載の流体収納容器のための閉鎖体。
【請求項１７】
前記カバー部は、前記概ね水平なリムの開口内に配されるようになっているプラグシールをさらに具えたことを特徴とする請求項１１の流体収納容器のための閉鎖体。
【請求項１８】
概ね円形状を持った周縁を有する結合リングと、
この結合リングに結合され、閉位置と開位置との間を移動可能であるカバー部と、
前記結合リングと前記カバー部との間に形成され、前記カバー部が閉位置にある場合に前記結合リングの周縁内に配されるちょうつがいと
を具えたことを特徴とする流体収納容器の蓋部のためのカバー。
【請求項１９】
前記結合リングと前記カバー部との間を結合する少なくとも１つの不正開封防止機能をさらに具え、この少なくとも１つの不正開封防止機能が概ね水平な向きを有し、前記カバー部が閉位置から開位置に動かされた場合に前記少なくとも１つの不正開封防止機能が変形し、前記少なくとも１つの不正開封防止機能はこの不正開封防止機能の中間点近傍でより少ない材料を含むことを特徴とする請求項１８に記載の流体収納容器の蓋部のためのカバー。
【請求項２０】
前記ちょうつがいは、結合リング部領域と、カバー部領域と、これら結合リング部領域およびカバー部領域の間に配される少なくとも１つのウェブ部とを具えたことを特徴とする請求項１８に記載の流体収納容器の蓋部のためのカバー。
【発明の詳細な説明】
【技術分野】
【０００１】
（関連した出願に対する相互参照）
この出願は、２０１０年１月５日に提出された米国出願第１２/６５５６７３号に対する優先権を請求し、その開示は参照することによってこの明細書に組み入れられる。
【０００２】
（連邦政府の後援による研究または成果）
適用できない。
【０００３】
本開示は、流体収納容器のための概ね閉鎖体に関する。より詳細には、本開示は流体収納容器の方向付けに関係なく流体収納容器に装着されることができる流体収納容器のための多部品の閉鎖体に関する。
【背景技術】
【０００４】
飲料ボトルおよびモータ油ボトルの如き多くの流体収納容器には、使用者がボトル内の流体にアクセスすることを可能にする注ぎ口またはノズルが設けられている。この注ぎ口またはノズルは、蓋または引き上げ蓋を持つ閉鎖体によってしばしば覆われている。使用者は、ちょうつがい付きの蓋を閉位置から開位置へと動かすことにより、容器の内容物にアクセスすることができる。使用者はまた、ちょうつがい付きの蓋を閉位置に動かして戻すことにより、容器に対して流体密封シールを与えることもできる。このような適用例は、使用者が容器の内容物に対するアクセスを間欠的に希望するが、内容物にアクセスした後に容器の内容物がこぼれるのを回避することもまた望む可能性がある水やジュース，スポーツドリンクまたは子供らのための飲料用ボトルの如きある特定の飲物を収納する容器において特に有用である。
【発明の概要】
【０００５】
既存の多部品の閉鎖体は、位置記憶なしストラップをしばしば利用して蓋のカバー部を蓋のリング部に結合している。さらに、このストラップは蓋のリング部の外側面に結合され、ストラップの一部がリング部によって形成される周縁の外側に位置する。従って、蓋を閉鎖体の架台に結合する場合、すなわちリング部をベースに押し付けることにより、ストラップが損傷したり、またはストラップが組み立て器具の操作に干渉する可能性を回避するため、リングをベースへと押し付ける組み立て器具に対してストラップを特定の向きに維持しなければならない。これはより複雑な組み立て工程を必要とし、完成した閉鎖体を作り出すために必要な時間の量を増大させる可能性があり、閉鎖体を作り出すための費用をさらに増大させる可能性がある。さらに、リング部の外側面に結合されるストラップを製造することが困難であり、金型から蓋部品を取り外すために分割軸線に摺動可能な金型部品を必要とする可能性がある。従って、組み立て中に組み立て器具に対する周方向の位置合わせを必要とせず、また摺動可能な金型部品を必要とせず、しかもちょうつがいが開位置にある場合に位置の記憶を持った注ぎ口またはノズルへのアクセスを維持することができる蓋付きの閉鎖体に対する要求が存在する。
【０００６】
さらにまた、既存のちょうつがい付き閉鎖体は、最初にあけた後であっても閉位置での流体密封シールを形成するために閉じることができるので、閉鎖体がすでに開けられていたことを使用者が判断できるように、付加的な不正開封防止機能を設けることがしばしば望まれる。多くの不正開封防止機能は、ちょうつがい付き蓋を持つ閉鎖体の部分の間で概ね垂直方向に配され、ちょうつがい付きの蓋を最初にあけた時にこの不正開封防止機能が変形、または破損しさえするようになっている。このような垂直の機能を持った閉鎖体を製造することはまた、成型（すなわち溝加工）のための摺動可能な金型部品や、費用が嵩む二次作業を必要とする可能性もある。
【０００７】
本発明は、従来技術のこれらの限界および他の欠点のいくつかを克服し、これまで利用できなかった新しい機能を提供しようとするものである。本発明の特徴および利点の完全な解説が以下の詳細な説明にゆだねられ、添付図面を参照して進められる。
【０００８】
一実施形態によると、流体収納容器のための閉鎖体は、ベースおよび一体型蓋を具える。ベースは、側壁およびこの側壁の上端面に形成された肩部を有する。注ぎ口が肩部から上方に延在し、この注ぎ口はその上端面に形成された開口を有する。一体型蓋は、リング部と、ちょうつがい部と、カバー部とを有する。ちょうつがい部は、カバー部をリング部に結合すると共にカバー部が閉位置から開位置まで移動することを可能にする。ちょうつがい部は閉位置におけるカバー部と共に完全にリング部の外縁内に配される。カバー部は、閉位置にある注ぎ口の上端面の開口を覆い、ベースと一体型蓋との間に流体密封シールを形成する。
【０００９】
他の実施形態によると、流体収納容器のための閉鎖体はベース部および蓋部を具える。ベース部は、概ね水平な肩部と、第１の概ね垂直な側壁と、第２の概ね垂直な側壁と、固定溝とを具える。概ね水平な肩部は、外縁および内縁を有する。第１の概ね垂直な側壁は、肩部の外縁から第１の方向に延在する。第２の概ね垂直な側壁は、肩部の内縁から第２の方向に延在する。第２の概ね垂直な側壁は、概ね水平なリムで終わる。この概ね水平なリムは、そこに形成した開口を有する。固定溝は、第１の概ね垂直な側壁と第２の概ね垂直な側壁との間で径方向に配される。蓋はベース部の固定溝に対応した形状を持つ周縁を有する結合リングを有し、固定溝内で摩擦嵌合を形成する。カバー部は、結合リングに対してちょうつがい結合を有する。カバー部は、閉位置と開位置との間を移動可能である。このカバー部が閉位置にある場合、ちょうつがい結合は結合リングの周縁内に配される。カバー部はベース部の水平なリムの開口を覆って配される。結合リングと、カバー部と、少なくとも１つの不正開封防止機能とは単一の部品を形成する。
【００１０】
さらなる一実施形態によると、流体収納容器のための蓋は、結合リングと、カバー部と、ちょうつがいとを具える。結合リングは、概ね円形形状の周縁を有する。カバー部は、ちょうつがいによって結合リングに結合される。カバー部は、閉位置と開位置との間を移動可能である。ちょうつがいは、結合リングとカバー部との間に形成される。カバー部が閉位置にある場合、ちょうつがいは結合リングの周縁内に配される。
【００１１】
他の特徴および利点は、添付図面と共に用いられる以下の詳述から明白となろう。
【図面の簡単な説明】
【００１２】
【図１】一実施形態による流体収納容器のための閉鎖体の閉位置における立体投影図である。
【図２】図１の実施形態による流体収納容器のための閉鎖体の開位置における立体投影図である。
【図３】図１の３−３線を通って作られた断面図である。
【図４】図１の実施形態による流体収納容器のための閉鎖体の平面図である。
【図５】図１の実施形態による流体収納容器のための閉鎖体の一部の詳細な立体投影図である。
【図６】他の実施形態による流体収納容器のための閉鎖体の正面図である。
【図７】図６のＡ−Ａ線を通って作られた流体収納容器のための閉鎖体の断面図である。
【図８】図７の流体収納容器のための閉鎖体のベース部の図面である。
【図９】図７の流体収納容器のための閉鎖体の蓋部の図面である。
【図１０】図６の流体収納容器のための閉鎖体の蓋部の平面図である。
【発明を実施するための形態】
【００１３】
さて、本発明を理解するため、例示の方法により添付図面を参照しつつ記述されよう。
【００１４】
この発明は、図に示した多くの異なる形態での実施例を可能にすると同時に、この開示内容が本発明の原理の例示として考慮されるべきであり、本発明の広い形態を例示した実施形態に限定するように意図していないという理解と共に本発明の好ましい実施形態がここで詳細に記述されよう。
【００１５】
図１〜図５は一実施形態による流体収納容器１０のための閉鎖体を描いている。この閉鎖体１０は、ベース部１２および蓋部１４を具えている。ベース部１２は、肩部１８から垂れ下がる第１の概ね垂直な側壁１６を具えている。肩部１８は、外縁１９および内縁２１（図３）を有する。第１の概ね垂直な側壁１６は、外縁１９にて肩部１８に接続している。第２の概ね垂直な側壁２０が肩部１８の内縁２１から立ち上がっている。この第２の概ね垂直な側壁２０は、概ね水平なリム２３で終わる。この概ね水平なリム２３は、そこに形成した開口２２を有する。この開口２２は、閉鎖体１０が配される流体収納容器（図示せず）内の流体がこの流体収納容器から流れ出ることを可能にする。ベース部１２にはねじが切られて容器のためのねじ込み式キャップとして機能することができる。ベース部１２をスナップ止めキャップか、容器または他の任意の形態の一部として形成できることが意図される。
【００１６】
蓋部１４は、ちょうつがい２８を介して結合される結合リング２４とカバー部２６とを具えている。結合リング２４は、図１〜図５の実施形態において完全な円を形成するように描かれているが、円の一部を利用でき、あるいは完全または部分的な多角形を結合リング２４のための形状として利用できることが意図される。図１〜図５に示すように、蓋部１４を成形プラスチックスの如き材料の単一部品にて形成することができる。
【００１７】
蓋部１４は、図１に示すような閉位置から、図２に示すような開位置まで移動可能である。閉位置において、蓋部１４は、カバー部２６に配されるプラグシール３６（図３）として流体が流体収納容器の開口２２から流出するのを阻止し、ベース部の開口２２に接触して締まり嵌めを形成するように配される。例えばガスケットやＯリング，ブレード状シールまたは同種のものの如き付加的な種類のシールもまた、蓋部１４と開口２２との間に形成可能であることも意図される。
【００１８】
図３で最も良く見られるように、ベース部１２は、肩部１８に形成した固定溝３２を有する。この固定溝３２は、蓋部１４の結合リング２４の結合部３４を収納するようになっている。結合リング２４は、ベース部の固定溝３２に対して概ね対応した形状を有する。この固定溝３２は、蓋部１４の結合部３４が結合リング２４をベース部１２に固定するように相互に作用する固定リップ３３を有する。しかしながら、図３に示すように、結合部３４はタブの形態にあり、摩擦嵌合または締まり嵌めの如き他の幾何学的な構成が蓋部１４の結合部３４をベース部１２の固定溝３２に固定するために利用可能であることが意図される。固定溝３２が肩部から１８を立ち上がっているのを示しているけれども、固定溝３２が結合リング２４の一部を支持する肩部１８の近傍に形成される固定リップを持った固定突起であってよく、または他の種類のコネクターであってよいことが付加的に意図される。
【００１９】
蓋部１４のカバー部２６は、開口タブ３０を付加的に有する。この開口タブ３０は、ちょうつがい２８の反対側の蓋部１４に配されている。開口タブ３０を蓋部１４の他のどこかに位置決め可能であることが意図される。開口タブ３０は、使用者が蓋部１４を閉位置から開位置へとより容易に動かすことを可能にする。
【００２０】
図４および図５は、カバー部２６と結合リング２４との間に配された複数の不正開封防止機能３８を示す。不正開封防止機能３８は、概ね水平面に配される。不正開封防止機能３８は、蓋部１４のカバー部２６が閉位置から開位置へと動かされた場合、変形および／または切り離される。これは、蓋部１４がその閉および／または開位置から動かされたという視覚的証拠を使用者に与える。従って、蓋部１４が閉位置に戻されていたとしても、使用者は、不正開封防止機能３８が変形しているか、または結合リング２４およびカバー部２６の両方に対してすでに結合されていないかに基づき、流体収納容器の内容物が蓋部１４をあけることによってアクセスされたかどうかを理解しよう。不正開封防止機能３８は減少した幅を持った断面を有することができ、不正開封防止機能が減少した幅を持った断面部分にて変形すると共に概ね不正開封防止機能２８が減少した幅を持った断面部分にて脆弱になり、従って結合リング２４およびカバー部２６から切り離されるようになっている。
【００２１】
図４は、蓋部１４のちょうつがい２８を付加的に描いている。このちょうつがい２８は、カバー部２６を結合リング２４に結合する。ちょうつがい２８は、第１のウェブ４４ａおよび第２のウェブ４４ｂによって結合される結合リング領域４０およびカバー部領域４２を有する。ちょうつがい２８の結合リング領域４０は、結合リング２４の外縁または外縁内に配され、すなわち言い換えると、ちょうつがい２８の結合リング領域４０は結合リング２４の最大径よりも大きくない場所で結合リング２４に結合している。ちょうつがい２８を結合リング２４の外縁に結合することは、蓋部１４のちょうつがい２８を作り出すために金型内での摺動動作の必要性を排除する。ちょうつがい２８の結合リング領域４０およびカバー部領域４２が半円形状を有することを意図しているが、他の形状を用いることも可能である。ちょうつがい２８は、蓋部１４があらかじめ設定した開口の量を超えると、蓋部１４を開位置に保持するようになっている。それとして、使用者が蓋部１４に力を加えて蓋部１４のプラグシール３６を再び挿入し、開口２２へと戻すまで、開口２２は塞がれない状態となる。
【００２２】
蓋部１４が閉位置にある場合、ちょうつがい２８は、結合リング２４の外縁の直径または周辺内に完全に置かれる。従って、蓋部１４のすべては、リングの表面の下または上にかかわらず、結合リング２４の外縁内に置かれる。ちょうつがいをリングの表面か、またはその下方に装着した場合、ベース部１２に対する蓋部１４の方向付けを調整する必要がなく、固定溝３２に挿入される結合リング２４を介して蓋部１４をベース部１２に装着する際に、ベース部１２に対する蓋部１４の組み立てを単純化させる。
【００２３】
ちょうつがい２８は、ベース部１２の肩部１８の高さか、それよりも上に配される。肩部１８の上に位置するちょうつがい２８の位置を高くするほど、ちょうつがい２８の開口角度がより大きくなる。
【００２４】
さて、図６〜図１０を参照すると、他の実施形態による流体収納容器１００のための閉鎖体が描かれている。閉鎖体１００は、ベース部１０２および蓋部１０４を具えている。ベース部１０２は、肩部１０８から垂れ下がる第１の概ね垂直な側壁１０６を具えている。肩部１０８は、外縁１１０および内縁１１２（図７，図８）を有する。第１の概ね垂直な側壁１０６は、外縁１１０にて肩部１０８に接続する。注ぎ口１１４が肩部１０８の内縁１１２から立ち上がっている。この注ぎ口１１４は、概ね水平なリム１１６（図８）にて終わっている。この概ね水平なリム１１６は、そこに形成した開口１１８を有する（図８）。この開口１１８は、閉鎖体１００が配される流体収納容器（図示せず）内の流体が流体収納容器から流出することを可能にする。開口１１８を流体収納容器からの流体の流量を調整するような大きさに作ることができ、より大きな開口１１８は、より多量の流体流量を可能にするのに対し、より小さな開口は、より少量の流体流量を可能にする。
【００２５】
図９および図１０に最も良く示すように、蓋部１０４は、ちょうつがい１２４を介して結合した結合リング１２０およびカバー部１２２を具えている。図６〜図１０に示すように、蓋部１０４は単一部品の材料にて形成される。
【００２６】
蓋部１０４は、図１に示すような閉位置から、図２に示すような開位置まで移動可能である。閉位置において、蓋部１０４は、この蓋部１０４が閉位置にある場合にベース部１０２の開口１１８に接触するように位置決めされると共にカバー部１２２に配されるプラグシール１２６（図７）として、流体収納容器の開口１１８から流体が流出することを阻止する。
【００２７】
図８に最も良く見られるように、ベース部１０２は肩部１０８に形成した固定溝１２８を有する。この固定溝１２８は、蓋部１０４の結合リング１２０の結合部１３０（図９）を収納するようになっている。結合リング１２０は、ベース部１０２の固定溝１２８に概ね対応した形状を有する。固定溝１２８は、蓋部１０４の結合部１３０が結合リング１２０をベース部１０２に固定するように相互に作用する固定リップ１３２を有する。図９に示すように、結合部１３０がタブの形態にあるけれども、蓋部１０４の結合部１３０をベース部１０２の固定溝１２８に固定するため、摩擦嵌合または締まり嵌めの如き他の幾何学的な構成を利用可能であることが意図される。
【００２８】
蓋部１０２のカバー部１２２は、開口タブ１３４を付加的に有する。この開口タブ１３４は、ちょうつがい１２４の反対側の蓋部１０４に配される。開口タブ１３４は、使用者が蓋部を閉位置から開位置へとより容易に動かすことを可能にする。
【００２９】
図１０は、カバー部１２２と結合リング１２０との間に配された複数の不正開封防止機能１３６を示す。これら不正開封防止機能１３６は、概ね水平面に配される。不正開封防止機能１３６は、蓋部１０４のカバー部１２２が閉位置から開位置へと移動すると、変形および／または切り離される。それによって、蓋部１０４が開かれたという視覚的証拠を使用者に与える。従って、蓋部１４が閉位置に戻されていたとしても、使用者は、不正開封防止機能３８が変形しているか、または結合リング２４およびカバー部２６の両方に対してすでに結合されていないかに基づき、蓋部１０４を開けたことにより流体収納容器の内容物がアクセスされたかどうかを理解しよう。不正開封防止機能１３６は、図１０に示すように、例えば概ねＳ字形状またはＺ字形状の如き、非直線であるように描かれている。非直線の不正開封防止機能１３６は、この不正開封防止機能１３６の中間点近傍により少ない材料を含み、従って蓋部１０４をあけた場合、不正開封防止機能１３６がより脆弱になりやすく、その場所の視覚的な変形が進むようになる。
【００３０】
図１０は、蓋部１０４のちょうつがい１２４を付加的に明瞭に描いている。ちょうつがい１２４は、カバー部１２２を結合リング１２０に結合する。このちょうつがい１２４は、ウェブ１４２によって結合される結合リング領域１３８とカバー部領域１４０（図９）とを有する。ちょうつがい１２４の結合リング領域１３８およびカバー部領域１４０は半円形状を有しているが、他の形状を利用可能であることが意図される。ちょうつがい１２４は、蓋部１０４があらかじめ設定した開口の量を超えると、蓋部１０４を開位置に保持するようになっている。それとして、使用者が蓋部１０４に力を加えて蓋部１０４のプラグシール１２６を再び挿入し、開口１１８へと戻すまで、開口１１８は塞がれない状態となる。
【００３１】
蓋部１０４が閉位置にある場合、ちょうつがい１２４は結合リング１２０の外縁またはその内側に完全に置かれる。従って、蓋部１０４のすべては、結合リング１２０の外縁またはその内側に置かれる。ちょうつがいをリングか、またはその下方に装着した場合、ベース部１０２に対する蓋部１０４の方向付けを調整する必要がなく、固定溝１２８に挿入される結合リング１２０を介して蓋部１０４をベース部１０２に装着する際に、ベース部１０２に対する蓋部１０４の組み立てを単純化させる。
【００３２】
ポリプロピレンおよびポリエチレンの単独重合体および共重合体の如き多種多様な脆いおよび／または伸びる重合体材料から流体収納容器１０，１００のための閉鎖体を製造可能であることが意図される。
【００３３】
ベース部および蓋部を形成するために異なる材料を利用可能であることが付加的に意図される。例えば、不透明な材料から製造されるベース部を有するのに対し、キャップ部が概ね透明な材料か、または異なる色の不透明な材料から製造されることが望まれることがある。
【００３４】
特定の実施形態を例示しかつ記述したけれども、多くの変更が本発明の精神から著しく逸脱することなく想起され、その保護範囲は、添付した特許請求の範囲によって限定されるに過ぎない。
【図１】
2013527823.tif 000003
【図２】
2013527823.tif 000004
【図３】
2013527823.tif 000005
【図４】
2013527823.tif 000006
【図５】
2013527823.tif 000007
【図６】
2013527823.tif 000008
【図７】
2013527823.tif 000009
【図８】
2013527823.tif 000010
【図９】
2013527823.tif 000011
【図１０】
2013527823.tif 000012